(57)【要約】【課題】    所定量の血液等を簡単にかつ正確に採取できるとともに、気泡が混入せず、比較的安価な採血器と採血用ボトルとを含む採血キットを提供する。【解決手段】    血液凝固防止液を含有し、スリットを有する円柱状の吸液体であって、所定量の血液を凝固することなく一時吸液する吸液体を先端に配置し、吸液体の後面を押して吸液体を分離する押圧体を設けた採血器である。  【選択図】  図１
2006288680.tif 000002
【特許請求の範囲】
【請求項１】
血液凝固防止液を含有し、スリットを有する円柱状の吸液体であって、所定量の血液を凝固することなく一時吸液する吸液体を先端に配置し、吸液体の後面を押して吸液体を分離する押圧体を設けた採血器。
【請求項２】
その中心線を水平にして台の上に置いた時に先端が台の表面に接触しないように重心位置を設計するとともに、台の上でころがることを防止する突起が中央部に設けられていることを特徴とする請求項１に記載の採血器。
【請求項３】
押圧体の移動を停止し、吸液体を押圧体が押すのをとめるとともに、解除し押圧体の移動を可能とする解除可能なロック手段を有する請求項１または２に記載の採血器。
【請求項４】
請求項３に記載の採血器を押し込み、はめ込むと、内壁に当接して採血器の解除可能なロック手段が解除され、続いて採血器の押圧体を押すと採血器の先端から吸液体が分離し、内蔵された薬液中に吸液体が浸漬され、吸液体に一時吸液されていた血液が薬液中に溶出する採血用ボトル。
【発明の詳細な説明】
【技術分野】
【０００１】
本発明は採血器と採血用ボトルとを含む採血キットに関する。一定量の血液、唾液、膿、体液、尿（以下「血液等」という。）を病院、自宅などで一人で採取するのに適した採血キットに関する。
【背景技術】
【０００２】
図６は従来の使い捨て採血ピペットの概略図である。従来の使い捨てピペット１１は、スポイト筒１１ａと蛇腹構造のキャップ１１ｂとが連結してなり、スポイト筒１１ａ及びキャップ１１ｂは、いずれも透明または半透明で、可撓性を有する材料でできている。そして、スポイト筒１１ａには目印１１ｃ、１１ｄが付けてある。目印１１ｃは採取すべき血液等の量の下限を示し、目印１１ｄは採取すべき血液等の量の上限を示している。そして、スポイト筒１１ａの先端は開放されているが、他の部分と同一の外径、内径である。
【発明の開示】
【発明が解決しようとする課題】
【０００３】
しかしながら、目印１１ｃと目印１１ｄとの間に採取する血液等の量を合わせることは困難であり、キャップを何度も押したり放したりして、血液等の吸い込みと吐き出しを繰り返さないと、所定量の血液等を採取することはできない。
【０００４】
また、ピペット中の血液等に気泡が混入しやすく、採取量が少なくなり、不正確となる。片手でスポイト筒５を指ではさみつつ、スポイト筒の先端を血液等の中へ入れ、毛細管現象によってスポイト筒の中へ血液等を採取するものである。しかし、親指でキャップを押したり放したりするため、未熟練者にとっては操作が難しく、誤って操作し空気を吸い込みやすい。混入した空気を従来のピペットでは取り除くことは困難である。その結果として、何度も血液等の吸い込みと吐き出しを繰り返さなければならない。また、気泡が混入した血液等では採取量が不足し正確な検査ができない。
【０００５】
そこで、本発明の目的は、所定量の血液等を簡単にかつ正確に採取できるとともに、気泡が混入せず、比較的安価な採血器と採血用ボトルとを含む採血キットを提供することである。
【課題を解決するための手段】
【０００６】
上記目的は、請求項１に記載の本発明に係る採血器、すなわち、血液凝固防止液を含有し、スリットを有する円柱状の吸液体であって、所定量の血液を凝固することなく一時吸液する吸液体を先端に配置し、吸液体の後面を押して吸液体を分離する押圧体を設けた採血器によって、達成される。
【０００７】
本発明に係る採血器の好ましい実施態様においては、請求項２に記載のように、その中心線を水平にして台の上に置いた時に先端が台の表面に接触しないように重心位置を設計するとともに、台の上でころがることを防止する突起が中央部に設けられている。
【０００８】
また、本発明に係る採血器の別の好ましい実施態様においては、請求項３に記載のように、押圧体の移動を停止し、吸液体を押圧体が押すのをとめるとともに、解除し押圧体の移動を可能とする解除可能なロック手段を有する。
【０００９】
さらに、本発明に係る採血用ボトルは、請求項４に記載のように、請求項３に記載の採血器を押し込み、はめ込むと、内壁に当接して採血器の解除可能なロック手段が解除され、続いて採血器の押圧体を押すと採血器の先端から吸液体が分離し、内蔵された薬液中に吸液体が浸漬され、吸液体に一時吸液されていた血液が薬液中に溶出する。
【発明の効果】
【００１０】
本発明に係る採血器は吸液体を先端に取り付けているので、所定量（例えば、１μｌ、１０μｌ、２０μｌ、５０μｌ、１００μｌ）の血液等を正確かつ簡単に採取することができるという効果が得られる。
【００１１】
本発明に係る採血器は吸液体の後面を押して吸液体を分離する押圧体を設けているので、所定量の血液等を一時吸液している吸液体を本発明に係る採血用ボトルの中へ分離して入れることができ、採血用ボトルの中の薬液の中へ血液等を浸漬し保存できるとともに血液等を処理することができるという効果が得られる。特に吸液体にスリットがあるので、吸液体を薬液中に浸漬すると、吸液体に一時吸液されている血液等がすべて薬液中へ短時間のうちに流出するという効果が得られる。
【００１２】
本発明に係る採血器は、先端が台の表面に接触しないように重心位置を設計されているので、先端が台表面等に接触しにくく、衛生的であるという効果が得られる。
【００１３】
本発明に係る採血器は中央に突起が設けてあるので、転がりにくく、落下しにくいという効果がある。
【００１４】
本発明に係る採血器は押圧体の移動を一時停止するロック手段を有しているので、血液等を一時吸液している時に誤って吸液体を押圧し分離するという事故が生じないという効果が得られる。
【発明を実施するための最良の形態】
【００１５】
以下、本発明の採血器、採血用ボトルについて、添付図面を参照して、詳細に説明する。
【００１６】
図１、２は、本発明に係る実施形態の採血器の概略図であり、図１は採血前及び採血中の状態を示す正面断面図であり、図２は底面図である。図５は本発明に係る実施形態の採血器に用いられている吸液体（フィルター）の斜視図である。図３、４は本発明に係る実施形態の採血器及び採血用ボトルの概略図であり、図３は採血器を採血用ボトルに差し込んだ状態を示す断面図であり、図４は採血器を採血用ボトルに差し込んだ後に、キャップを押し込んで吸液体を押し出し分離した状態を示す断面図である。
【００１７】
実施形態の採血器の本体２１の先端部２１ａは内面が円柱状であり、外面が先端部向かうにつれて径が小さくなるテーパー状である。そして、吸液体の１つの実施態様として円柱状の多孔質フィルター３１が用いられ、本体２１の先端部２１ａの内部に挿入され、多孔質フィルター３１の１つの底面３１ａが先端部２１ａの端に位置するように配置されている。本体２１の先端部２１ａ近くの内部には、多孔質フィルター３１の中心軸方向位置を決めるための小突起２１ｂが中心軸のまわりに９０°間隔で４か所設けてある（図１（ｃ）参照）。
【００１８】
多孔質フィルター３１は商品名「ファイバーロッド」などの市販品の多孔質円柱体を用いることができ、毛細管現象を利用して所定量、例えば、１μｌ、２μｌ、５μｌ、１０μｌ、２０μｌ、５０μｌ、６０μｌ、７０μｌ、８０μｌ、１００μｌの血液を吸液するように長さを調整する。これによって、正確度の高い量の血液等を再現性良く、容易に採取することができる。また、血液の凝固を防止するために、ヘパリンなど抗凝血剤を多孔質フィルター３１に予め含浸させておくのが好ましい。
【００１９】
採取しようとする体液として、血液のほかに、膿、唾液、尿なども挙げることができるが、体液に応じてフィルターの種類、孔の大きさ、量を変えて用いるべきである。
【００２０】
図５に示すように、多孔質フィルター３１には、その一部分３１ｄを残して、中心軸を通る１つの平面３１ｂ、３１ｃによって切断され、スリット３１ｅを形成している。スリットは他の形態に変更することができるが、例えば、中心軸へ向かう３つの平面によって切断され、そのうちの２つの平面は側面近くの内部でとどまり、他の１つの平面は側面まで至っている。
【００２１】
本体の後端部２１ｃはやや径の大きな円筒形であり、その内部には押圧ボタン体２３が挿入されている。
【００２２】
押圧ボタン体２３は円筒部と半球殻部とが連続してなり、円筒部には押圧軸部２２の後端部２２ｄが挿入され固定されている。  押圧軸部２２は、本体２１の内部に、中心軸方向へ移動可能に配置されている。押圧軸部２２の先端が押圧部２２ａであり、押圧軸部２２の中央部にはキー溝部２２ｂ、２２ｃが左右対称に形成されている。
【００２３】
本体２１の中央部にはロックキー２４、２５が左右対称に配置されている。ロックキー２４、２５は、それぞれ、係合部２４ａ、２５ａと、支点部２４ｂ、２５ｂと、力点部２４ｃ、２５ｃとからなる樹脂あるいは硬質ゴムなど多少の可撓性を有する材料で作られている。
【００２４】
図１（ｂ）は図１（ａ）におけるＡ−Ａ´断面図であるが、ロックキー２４、２５の支点部２４ｂ、２５ｂの先端は押圧軸部２２の側面に当接し、通常状態においては、ロックキー２４、２５の係合部２４ａ、２５ａは押圧軸部２２のキー溝部２２ｂ、２２ｃに、それぞれ係合し、力点部２４ｃ、２５ｃ近くのロックキー外表面は、本体の中心軸に対してより外へ位置し、係合部２４ａ、２５ａ近くのロックキー外表面は、本体の中心軸に対してより内に位置し、ロックキー２４、２５の外表面は、本体の中心軸に対して、通常状態では、傾いて位置している。このように通常状態ではロックキーの係合部が押圧軸部のキー溝部に係合しているので、押圧軸部は本体の中心軸方向へ移動することはできない。
【００２５】
実施形態の採血器の本体２１の後端部２１ｃには、ロックキー２４に接する位置に外へ突出した突起２６ａ、２６ｂが中心軸のまわりに１８０°間隔で取り付けられている。そのため、採血器を机の上に置いても、転がりにくく、机のはじから落下しにくくなっている。
【００２６】
また、実施形態の採血器の重心は、突起２６ａ、２６ｂの近く、あるいは後端部よりに位置している。そのため、採血器を机の上に置くと、採血器の先端部２１ａや多孔質フィルター３１が机の表面に触れることはなく、衛生的に保たれる。
【００２７】
本発明に係る実施形態の採血器を用いて所定量の血液を採取するのは極めて簡単である。皮膚に針等を刺して血を出し、その血液に採血器の先端部２１ａを接触させ、多孔質フィルター３１に血液を吸液する。血液に多孔質フィルターを接触させつづけると、もはや多孔質フィルター３１にこれ以上吸液できなくなる。その時に、多孔質フィルター３１には所定量５０μｌの血液が精度良く採取されている。しかも、多孔質フィルター３１の中の空孔に捉えられていた空気は、多孔質フィルター３１の１つの底面３１ａから毛細管現象によって血液が吸液されるにしたがって、他の底面へ向かって追いやられ、他の底面から徐々に放出される。その結果、多孔質フィルター３１の中に採取された血液の中には空気が混入されることがない。
【００２８】
次に、図３に示すように、実施形態の採血用ボトル３２は円筒状であり、側部３２ａと底部３２ｂと脚部３２ｃとからなる。採血用ボトルの中には所定の薬液が入っており、開口は不図示の密封キャップによって密封されている。
【００２９】
採血用ボトル３２の密封キャップを取り外し、開口を開いた後に、実施形態の採血器を採血用ボトル３２の中に差し込む。すると、採血用ボトル３２の側部３２ａの内面が採血器のロックキー２４、２５のそれぞれ力点部２４ｃ、２５ｃに接触し、さらに差し込むにつれて力点部２４ｃ、２５ｃが押されて、採血器の中心軸方向へ移動する。すると、支点部２４ｂ、２５ｂをはさんで力点部２４ｃ、２５ｃと反対側に位置する係合部２４ａ、２５ａは採血器の中心軸から遠ざかる方向へ移動する。その結果、ロックキー２４、２５の係合部２４ａ、２５ａと押圧軸部２２のキー溝部２２ｂ、２２ｃとの係合が解除され、押圧軸部２２は自由に採血器の中心軸方向に直線移動できるようになる。なお、押圧軸部２２が回転しないように直線状のガイド溝を本体２１の内面に設けてもよい。
【００３０】
続いて、ロック手段が解除された状態で押圧ボタン体２３を本体２１に対して押し込むと押圧軸部２２が本体２１の中心軸に沿って移動し、押圧軸部２２の押圧部２２ａが多孔質フィルター３１の後方の底面に当接して多孔質フィルター３１を押圧して、多孔質フィルター３１は押し出されて本体２１の先端部２１ａから分離される。
【００３１】
そして、分離された多孔質フィルター３１は採血用ボトル中に収納されている薬液中に落下する。多孔質フィルター３１にはスリット３１ｅが形成されているので、薬液中で多孔質フィルター３１は薬液に触れてスリット３１ｅが沿って開く。すると、多孔質フィルター３１に採取されている血液のうち表面近くの血液も中心近くの血液もいずれも迅速に薬液中に溶出する。したがって、採取した血液を均等に均一に薬液処理することができる。
【００３２】
採血用ボトル３２は安定して直立できるように脚部３２ｃの形状・構造は設計されている。
【００３３】
採血器の本体２１の先端部２１ａは、多孔質フィルター３１の有無を目視確認できるように、また、多孔質フィルター３１への血液等の吸液状態を目視確認しやすいように透明あるいは半透明であるのが好ましい。
【図面の簡単な説明】
【００３４】
【図１】本発明に係る実施形態の採血器の概略図である。
【図２】本発明に係る実施形態の採血器の概略図である。
【図３】本発明に係る実施形態の採血器及び採血用ボトルの概略図である。
【図４】本発明に係る実施形態の採血器及び採血用ボトルの概略図である。
【図５】本発明に係る実施形態の採血器に用いられている吸液体（フィルター）の斜視図である。
【図６】従来の使い捨て採血ピペットの概略図である。
【符号の説明】
【００３５】
５        スポイト筒
１１      使い捨てピペット
１１ａ    スポイト筒
１１ｂ    キャップ
１１ｃ    目印
１１ｄ    目印
２１      本体
２１ａ    先端部
２１ｂ    小突起
２１ｃ    後端部
２２      押圧軸部
２２ａ    押圧部
２２ｂ    キー溝部
２２ｃ    キー溝部
２２ｄ    後端部
２３      押圧ボタン体
２４      ロックキー
２４ａ    係合部
２４ｂ    支点部
２４ｃ    力点部
２５      ロックキー
２５ａ    係合部
２５ｂ    支点部
２５ｃ    力点部
２６ａ    突起
２６ｂ    突起
３１      多孔質フィルター
３１ａ    底面
３１ｂ    平面
３１ｃ    平面
３１ｄ    一部分
３１ｅ    スリット
３２      採血用ボトル
３２ａ    側部
３２ｂ    底部
３２ｃ    脚部
【図１】
2006288680.tif 000003
【図２】
2006288680.tif 000004
【図３】
2006288680.tif 000005
【図４】
2006288680.tif 000006
【図５】
2006288680.tif 000007
【図６】
2006288680.tif 000008